(57)【特許請求の範囲】
【請求項１】
複数の紙葉がノドの折目で複数の綴じ手段により綴じられてなる中綴じ冊子の製造方法であって、
幅が前記冊子の小口間寸法より大きく高さが前記冊子の天地間寸法より大きい第１の紙葉の天地側の少なくとも一端部を前記冊子の天又は地となる位置より外側で折込む折丁工程と、
前記折丁工程で得られた前記第１の紙葉を前記冊子の前記折目となる部分で二つ折にして折目を形成する折目形成工程と、
前記折丁工程で形成された前記第１の紙葉の折込部分を、前記折目形成工程で形成された前記折目部分で少なくとも１つの前記綴じ手段により綴じる中綴じ工程と、
前記中綴じ工程で得られた前記第１の紙葉を前記冊子の小口及び天地となる位置で裁断する裁断工程と、
を有する、中綴じ冊子の製本方法。
【請求項２】
前記折丁工程は、前記第１の紙葉の天地側両端部を前記冊子の天地となる位置より外側で互いに重ならないように同一面側に折込むものである、
請求項１に記載の中綴じ冊子の製本方法。
【請求項３】
前記折丁工程は、前記第１の紙葉の天地側両端部を前記冊子の天地となる位置より外側で互いに異なる面側に折込むものである、
請求項１に記載の中綴じ冊子の製本方法。
【請求項４】
前記折目形成工程は、前記折込部分が内側となるように二つ折にして折目を形成するものである、
請求項１乃至３の何れか１項に記載の中綴じ冊子の製本方法。
【請求項５】
前記折目形成工程は、前記折込部分が外側となるように二つ折にして折目を形成するものである、
請求項１乃至３の何れか１項に記載の中綴じ冊子の製本方法。
【請求項６】
前記折目形成工程で得られた複数の前記第１の紙葉を前記冊子のページ順となるように並べて前記折目部分で重ねる丁合工程を更に有する、請求項１乃至５の何れか１項に記載の中綴じ冊子の製本方法。
【請求項７】
前記複数の紙葉は、幅が前記冊子の小口間寸法より大きく高さが前記冊子の天地間寸法より大きい第２の紙葉を更に含み、
前記折目形成工程、前記中綴じ工程、前記裁断工程及び前記丁合工程は、第５の紙葉を含めて加工を行うものである、
請求項６に記載の中綴じ冊子の製本方法。
【発明の詳細な説明】
【技術分野】
【０００１】
本発明は中綴じ冊子及びその製本方法に関する。詳しくは、所定の紙葉が分割され一部のページが２つのサブページに分割された中綴じ冊子及びその製本方法に関するものである。
【背景技術】
【０００２】
中綴じ冊子は、複数の紙葉がノドの折目の部分で複数のステープル等の綴じ手段により綴じられてなる冊子であり、製本が簡易で大量且つ安価に加工できることから、週刊誌等の作業時間が短い雑誌類、カタログ・パンフレット等の商業印刷物のように比較的ページ数が少なく見開きのよいことを求められるものに多く利用されている。
【０００３】
従来、中綴じ冊子を構成する紙葉の一部に切り込みを入れて当該紙葉を分割し、一部のページを複数のサブページに分割したものは知られていない。例えば、製本前に紙葉に切り込みを入れたり、サブページ用のサイズの異なる紙葉を組み合せて挿入したりしたのでは、その後の製本加工が極めて難しくなり、製本後に冊子を開いて一部の紙葉に切り込みを入れるのでは製本効率が著しく低くなるので何れも現実的ではないからである。
【０００４】
一方、一部又は全部の紙葉にミシン目を入れた中綴じ冊子が知られており（例えば、特許文献１参照）、製本後に所定の紙葉のミシン目を破断させることによって所定のページを複数に分割することができる。しかしながら、当該方法では、ミシン目の破断時に力加減によっては綴じ部からサブページが脱落してしまうという問題や、ミシン目の破断端面に多数の突起が残るため外観に劣り商品価値が低くなるるだけでなく、サブページを捲る際に引っ掛かったり破れが生じたりし易いという問題があった。
【先行技術文献】
【特許文献】
【０００５】
【特許文献１】実用新案登録第３１７２８６０号公報
【発明の概要】
【発明が解決しようとする課題】
【０００６】
本発明は上記従来技術の有する問題点に鑑みなされたものであり、その目的とするところは、所定の紙葉が分割され一部のページが２つのサブページに分割された中綴じ冊子及びそれを簡易に大量且つ安価に製本できる製本方法を提供することにある。
【課題を解決するための手段】
【０００７】
本発明の上記目的は、下記の手段によって達成される。
【０００８】
（１）即ち本発明は、複数の紙葉がノドの折目で複数の綴じ手段により綴じられてなる中綴じ冊子であって、前記複数の紙葉は、少なくとも第１の紙葉と第２の紙葉とを含み、前記第１の紙葉は、前記冊子の見開き寸法と同寸であり、前記第２の紙葉は、幅が前記冊子の見開きの小口間寸法と同じであり、高さが前記冊子の天地間寸法より小さく、且つ前記冊子の天又は地で揃えられて少なくとも１つの前記綴じ手段により前記第１の紙葉と隣り合わせて綴じられていることを特徴とする、中綴じ冊子である。
【０００９】
（２）本発明はまた、前記複数の紙葉は、更に第３の紙葉を含み、前記第３の紙葉は、幅が前記冊子の見開きの小口間寸法と同じであり、対を成す前記第２の紙葉との高さの合計が前記冊子の天地間寸法より小さく、且つ前記第２の紙葉と異なる側の前記冊子の天又は地で揃えられて少なくとも１つの前記綴じ手段により前記第１の紙葉と隣り合わせて綴じられている、（１）に記載の中綴じ冊子である。
【００１０】
（３）本発明はまた、前記第３の紙葉は、前記第１の紙葉の前記第２の紙葉と同一面側に、前記第２の紙葉と重ならずに綴じられている、（２）に記載の中綴じ冊子である。
【００１１】
（４）本発明はまた、前記第３の紙葉は、前記第１の紙葉の前記第２の紙葉と互いに異なる面側に綴じられている、（２）に記載の中綴じ冊子である。
【００１２】
（５）本発明はまた、展開時の幅が前記冊子の小口間寸法より大きく高さが前記冊子の天地間寸法より大きく、且つ天地側の少なくとも一端部が前記冊子の天又は地となる位置より外側で折込まれてなる第４の紙葉を利用して製本されたものである、（１）乃至（４）の何れか１つに記載の中綴じ冊子である。
【００１３】
（６）本発明はまた、前記複数の紙葉は、更に前記冊子の見開き寸法と同寸の第５の紙葉を含む、（１）乃至（５）の何れか１つに記載の中綴じ冊子である。
【００１４】
（７）更に本発明は、複数の紙葉がノドの折目で複数の綴じ手段により綴じられてなる中綴じ冊子の製造方法であって、幅が前記冊子の小口間寸法より大きく高さが前記冊子の天地間寸法より大きい第１の紙葉の天地側の少なくとも一端部を前記冊子の天又は地となる位置より外側で折込む折丁工程と、前記折丁工程で得られた前記第１の紙葉を前記冊子の前記折目となる部分で二つ折にして折目を形成する折目形成工程と、前記折丁工程で形成された前記第１の紙葉の折込部分を、前記折目形成工程で形成された前記折目部分で少なくとも１つの前記綴じ手段により綴じる中綴じ工程と、前記中綴じ工程で得られた前記第１の紙葉を前記冊子の小口及び天地となる位置で裁断する裁断工程と、を有する、中綴じ冊子の製本方法である。
【００１５】
（８）本発明はまた、前記折丁工程は、前記第１の紙葉の天地側両端部を前記冊子の天地となる位置より外側で互いに重ならないように同一面側に折込むものである、（７）に記載の中綴じ冊子の製本方法である。
【００１６】
（９）本発明はまた、前記折丁工程は、前記第１の紙葉の天地側両端部を前記冊子の天地となる位置より外側で互いに異なる面側に折込むものである、（７）に記載の中綴じ冊子の製本方法である。
【００１７】
（１０）本発明はまた、前記折目形成工程は、前記折込部分が内側となるように二つ折にして折目を形成するものである、（７）乃至（９）の何れか１つに記載の中綴じ冊子の製本方法である。
【００１８】
（１１）本発明はまた、前記折目形成工程は、前記折込部分が外側となるように二つ折にして折目を形成するものである、（７）乃至（９）の何れか１つに記載の中綴じ冊子の製本方法である。
【００１９】
（１２）本発明はまた、前記折目形成工程で得られた複数の前記第１の紙葉を前記冊子のページ順となるように並べて前記折目部分で重ねる丁合工程を更に有する、（７）乃至（１１）の何れか１つに記載の中綴じ冊子の製本方法である。
【００２０】
（１３）本発明はまた、前記複数の紙葉は、幅が前記冊子の小口間寸法より大きく高さが前記冊子の天地間寸法より大きい第２の紙葉を更に含み、前記折目形成工程、前記中綴じ工程、前記裁断工程及び前記丁合工程は、前記第５の紙葉を含めて加工を行うものである、（１２）に記載の中綴じ冊子の製本方法である。
【発明の効果】
【００２１】
本発明の中綴じ冊子によれば、所定の紙葉が分割され一部のページがサブページ構成になっているので、付加価値の高い中綴じ冊子とすることができる。即ち、本発明の中綴じ冊子を、例えば、学習・受験用の参考書や問題集に利用すれば、問題と解答を別々のサブページに印刷することにより、サブページを捲って解答を見たり隠したりしながら問題を解くことができ、地図に利用すれば、サブページページに印刷された異なる場所や異なる縮尺の地図を同時に開いて表示することができる。又、サブページに冊子の目次、製品案内、フロア案内、マニュアルの各部名称等を印刷しておくことにより、ノーマルページを開いていても容易にサブページにアクセスしてこれらを参照することができる。更に、サブページを構成する紙葉にミシン目を入れてサブページを容易に切断できるようにしておけば、サブページを切り離して、クーポン券、アンケート等の回答用紙、懸賞等の応募はがき、ガイド、料理レシピ等として利用することができる。
【００２２】
また、本発明の中綴じ冊子の製本方法によれば、従来の中綴じ冊子の製本工程に、所定の折丁工程を加えるだけで製本できるので、上記の中綴じ冊子を簡易に大量且つ安価に製本することができる。
【図面の簡単な説明】
【００２３】
【図１】本発明の第１の実施形態にかかる中綴じ冊子１をセンターページで見開いた際の概略正面図である。
【図２】本実施形態に係る中綴じ冊子１の製本方法の折丁工程を説明するための概念図である。
【図３】本実施形態に係る中綴じ冊子１の製本方法の折目形成工程を説明するための概念図である。
【図４】本実施形態に係る中綴じ冊子１の製本方法の中綴じ工程を説明するための概念図である。
【図５】本実施形態に係る中綴じ冊子１の製本方法の裁断工程を説明するための概念図である。
【図６】本発明の第２の実施形態に係る中綴じ冊子２の製本方法の中綴じ工程を示す概念図である。
【図７】本実施形態にかかる中綴じ冊子２をセンターページで見開いた際の概略正面図である。
【図８】本発明の第３の実施形態に係る中綴じ冊子３の製本方法の中綴じ工程を示す概念図である。
【図９】本実施形態にかかる中綴じ冊子３をセンターページで見開いた際の概略正面図である。
【図１０】本発明の第４の実施形態に係る中綴じ冊子４の製本方法の中綴じ工程を示す概念図である。
【図１１】本実施形態にかかる中綴じ冊子４をセンターページで見開いた際の概略正面図である。
【図１２】本発明の第５の実施形態に係る中綴じ冊子５の製本方法の中綴じ工程を示す概念図である。
【図１３】本実施形態にかかる中綴じ冊子５をセンターページで見開いた際の概略正面図である。
【発明を実施するための形態】
【００２４】
以下、本発明の実施の形態を、図面を参照して詳細に説明する。
【００２５】
図１は、本発明の第１の実施形態に係る中綴じ冊子をセンターページで見開いた際の概略正面図である。
【００２６】
図１に示すように、本実施形態に係る中綴じ冊子１は、紙葉１１と、紙葉１２ａ及び１２ｂと、ステープル１５ａ及び１５ｂとからなる。紙葉１１は、冊子１の見開きの寸法と同寸である。また、紙葉１２ａと１２ｂとは対を成しており、両者の幅は冊子１の見開きの小口１６ａ−１６ｂ間の寸法と同じであり、両者の高さの合計は冊子１の天地１７ａ−１７ｂ間の寸法より僅かに小さくなっている。紙葉１１と紙葉１２ａ及び１２ｂとは、紙葉１２ａが冊子１の天１７ａで、紙葉１２ｂが冊子１の地１７ｂで夫々揃えられて（つまり、紙葉１２ａと１２ｂとの間に所定幅の間隙１９を有して）、冊子１のノド１８の折目１８１の部分で夫々ステープル１５ａ及び１５ｂにより紙葉１１と綴じられている。
【００２７】
尚、紙葉１２ａと１２ｂの高さは同じであってもよいし異なっていてもよい。又、間隙１９は、紙葉１２ａと１２ｂとが重ならない限りに小さく採ってもよいし、天地１７ａ−１７ｂ間の寸法より小さい限りに大きく採っても構わない。更に、紙葉１２ａ及び１２ｂは、何れか一方又は両方が複数のステープルにより紙葉１１と綴じられていてもよい。又、紙葉１２ａ及び１２ｂは、任意の位置に折目１８１に平行なミシン目を有しても構わない。更に、冊子１を綴じる綴じ手段は、各紙葉がしっかり綴じられて容易に分離しないものであれば特に限定されるものではなく、ステープル以外にも糸等であってもよい。
【００２８】
中綴じ冊子１は、斯かる構成により、３〜６ページ目が夫々上下２つのサブページ（３−１Ｐ、３−２Ｐ、４−１Ｐ、４−２Ｐ、５−１Ｐ、５−２Ｐ、６−１Ｐ及び６−２Ｐ）に分割された分割ページであり、１、２、７及び８ページ目が斯かるサブページに分割されていないノーマルページであるページ構成を有するものである。
【００２９】
次に、本実施形態に係る中綴じ冊子１の製本方法について以下に説明する。
【００３０】
図２〜５は、本実施形態に係る中綴じ冊子１の製本方法を説明するための概念図である。図２において、紙葉１３は、幅が冊子１の小口１６ａ−１６ｂ間の寸法より大きく、高さが冊子１の天地１７ａ−１７ｂ間の寸法より大きい寸法を有している。図１３に示すように、紙葉１３の天側端部１３１ａを冊子１の天１７ａとなる位置（Ａ−Ａ'線）より外側のＣ−Ｃ'線で、地側端部１３１ｂを冊子１の地１７ｂとなる位置（Ｂ−Ｂ'線）より外側のＤ−Ｄ'線で、互いに重ならないように図面手前側に折込む（折丁工程）。
【００３１】
次に、図３において、上記折丁工程で得られた紙葉１３を、冊子１の折目１８１となる部分（Ｅ−Ｅ'線）で、折込１３２ａ及び１３２ｂが内側となるように二つ折にして折目を形成する（折目形成工程）。
【００３２】
次いで、図４において、上記折目形成工程で得られた紙葉１３の折込１３２ａ及び１３２ｂを、折目１８１の部分で夫々ステープル１５ａ及び１５ｂにより綴じる（中綴じ工程）。
【００３３】
そして、図５において、上記中綴じ工程で得られた紙葉１３を、冊子１の小口１６ａ（又は１６ｂ）となる位置（Ｆ−Ｆ'線）、天１７ａとなる位置（Ｇ−Ｇ'線）及び地１７ｂとなる位置（Ｈ−Ｈ'線）で裁断する（裁断工程）。
【００３４】
尚、本実施形態に係る中綴じ冊子の製本方法は、後述するように、折目形成工程で得られた複数の紙葉を組み合せて、又は折目形成工程で得られた紙葉に他の紙葉を追加して冊子を製本する場合は、折目形成工程の後に、これらの複数の紙葉が冊子のページ順となるように並べて折目部分で重ねる丁合工程を有して構成される。
【００３５】
次に、本発明の他の実施形態に係る中綴じ冊子について以下に説明する。
【００３６】
図６は本発明の第２の実施形態に係る中綴じ冊子２の製本方法の中綴じ工程を示す概念図であり、図７は中綴じ冊子２をセンターページで見開いた際の概略正面図である。
【００３７】
本実施形態に係る中綴じ冊子２は、図６に示すように、中綴じ工程において、折目形成工程で第１の実施形態と同様にして得られた紙葉２３を２つ重ねて、折込２３２ａ及び２３２ｂを折目２８１の部分で夫々ステープル２５ａ及び２５ｂにより綴じ、その後の工程に付して製本することにより得られる。
【００３８】
即ち、中綴じ冊子２は、図７に示すように、紙葉２１ａと、２２ａ及び２２ｂと（２２ａは冊子４の天で、２２ｂは地で夫々揃えられている）、２１ｂと、２２ｃ及び２２ｄ（２２ｃは冊子４の天で、２２ｄは地で夫々揃えられている）とが、ノド２８の折目２８１で順次重ねられてステープル２５ａ及び２５ｂにより綴じられてなる。
【００３９】
中綴じ冊子２は、斯かる構成により、３、４、７〜１０、１３及び１４ページ目が夫々上下２つのサブページ（３−１Ｐ、３−２Ｐ、４−１Ｐ、４−２Ｐ、７−１Ｐ、７−２Ｐ、８−１Ｐ、８−２Ｐ、９−１Ｐ、９−２Ｐ、１０−１Ｐ、１０−２Ｐ、１３−１Ｐ、１３−２Ｐ、１４−１Ｐ及び１４−２Ｐ）に分割された分割ページであり、１、２、５，６、１１，１２、１５及び１６ページ目が斯かるサブページに分割されていないノーマルページであるページ構成を有している。
【００４０】
図８は本発明の第３の実施形態に係る中綴じ冊子３の製本方法の中綴じ工程を示す概念図であり、図９は中綴じ冊子３をセンターページで見開いた際の概略正面図である。
【００４１】
本実施形態に係る中綴じ冊子３は、図８に示すように、中綴じ工程において、折目形成工程で第１の実施形態と同様にして得られた紙葉３３ａと、折込が外側となるように（つまり紙葉３３ａとは逆側に）二つ折りにして折目を形成して得られた紙葉３３ｂとを２つ重ねて、折込部分を折目３８１の部分で夫々ステープル３５ａ及び３５ｂにより綴じ、その後の工程に付して製本することにより得られる。
【００４２】
即ち、中綴じ冊子３は、図９に示すように、紙葉３１ａと、３２ａ及び３２ｂ（３２ａは冊子４の天で、３２ｂは地で夫々揃えられている）と、３２ｃ及び３２ｄ（３２ｃは冊子４の天で、３２ｄは地で夫々揃えられている）と、３１ｂとが、ノド３８の折目３８１で順次重ねられてステープル３５ａ及び３５ｂにより綴じられてなる。
【００４３】
中綴じ冊子３は、斯かる構成により、３〜６、及び１１〜１４ページ目が夫々上下２つのサブページ（３−１Ｐ、３−２Ｐ、４−１Ｐ、４−２Ｐ、５−１Ｐ、５−２Ｐ、５−１Ｐ、５−２Ｐ、１１−１Ｐ、１１−２Ｐ、１２−１Ｐ、１２−２Ｐ、１３−１Ｐ、１３−２Ｐ、１４−１Ｐ及び１４−２Ｐ）に分割された分割ページであり、１、２、７〜１０，１５及び１６ページ目が斯かるサブページに分割されていないノーマルページであるページ構成を有している。
【００４４】
図１０は本発明の第４の実施形態に係る中綴じ冊子４の製本方法の中綴じ工程を示す概念図であり、図１１は中綴じ冊子４をセンターページで見開いた際の概略正面図である。
【００４５】
本実施形態に係る中綴じ冊子４は、図１０に示すように、中綴じ工程において、幅が冊子４の小口間寸法より大きく高さが冊子の天地間寸法より大きい紙葉４４と、折丁工程で天側端部と地側端部を互いに異なる面側に折込んで得られた紙葉４３ｂとを２つ重ねて、折込４３２ａ及び４３２ｂを折目４８１の部分で夫々ステープル４５ａ及び４５ｂにより綴じ、その後の工程に付して製本することにより得られる。
【００４６】
即ち、中綴じ冊子４は、図１１に示すように、紙葉４１ａと、４２ａ（冊子４の天で揃えられている）と、４１ｂと、４２ｂ（冊子４の地で揃えられている）とが、ノド４８の折目４８１で順次重ねられてステープル４５ａ及び４５ｂにより綴じられてなる。尚、紙葉４２ａ及び４２ｂの高さは、夫々折丁工程での折込４３２ａ及び４３２ｂの高さを調節することにより、天地間寸法より小さい限りで独立して調整することができる。
【００４７】
中綴じ冊子４は、斯かる構成により、３、４、７〜１０、１３及び１４ページ目が夫々１つのサブページ（３−１Ｐ、４−１Ｐ、７−１Ｐ、８−１Ｐ、９−１Ｐ、１０−１Ｐ、１３−１Ｐ及び１４−１Ｐ）であり、１、２、５，６、１１，１２、１５及び１６ページ目がノーマルページであるページ構成を有している。
【００４８】
図１２は本発明の第５の実施形態に係る中綴じ冊子５の製本方法の中綴じ工程を示す概念図であり、図１３は中綴じ冊子５をセンターページで見開いた際の概略正面図である。
【００４９】
本実施形態に係る中綴じ冊子５は、図１２に示すように、中綴じ工程において、幅が冊子５の小口間寸法より大きく高さが冊子の天地間寸法より大きい紙葉５４と、折丁工程で天側端部のみを折込んで折目形成工程で折込５３２が外側となるように二つ折りにして折目を形成して得られた紙葉５３ｂとを２つ重ねて、折目５８１の部分で夫々ステープル５５ａ及び５５ｂにより綴じ（折込５３２はステープル５５ａで綴じられている）、その後の工程に付して製本することにより得られる。
【００５０】
即ち、中綴じ冊子５は、図１３に示すように、紙葉５１ａと、５２（冊子５の天で揃えられている）と、５１ｂとが、ノド５８の折目５８１で順次重ねられてステープル５５ａ及び５５ｂにより綴じられてなる。尚、紙葉５２の高さは、夫々折丁工程での折込５３２の高さを調節することにより、天地間寸法より小さい限りで独立して調整することができる。
【００５１】
中綴じ冊子５は、斯かる構成により、３、４、９及び１０ページ目が夫々１つのサブページ（３−１Ｐ、４−１Ｐ、９−１Ｐ及び１０−１Ｐ）であり、１、２、５〜８、１１及び１２ページ目がノーマルページであるページ構成を有している。
【００５２】
このようにして、上記第１〜５の実施形態をそのまま又は変形して組み合せることにより、本発明の中綴じ冊子は、種々の多数のページ構成とすることができる。
【００５３】
尚、本発明の中綴じ冊子及びその製本方法は、上記した実施形態に限定されるものではなく、本発明の要旨を逸脱しない範囲内において種々変更を加え得ることは勿論である。
【産業上の利用可能性】
【００５４】
上述したように、本発明の中綴じ冊子は、所定の紙葉が分割され一部のページが２つのサブページに分割されているので、付加価値の高い中綴じ冊子を簡易に大量且つ安価に提供することができる。
【符号の説明】
【００５５】
１    中綴じ冊子
１１，１２ａ，１２ｂ，１３    紙葉
１３２ａ，１３２ｂ    折込
１５ａ，１５ｂ    ステープル
１６ａ，１６ｂ    小口
１７ａ    天
１７ｂ    地
１８    ノド
１８１    折目
１９    間隙
【図１】
0006449611.tif 000002
【図２】
0006449611.tif 000003
【図３】
0006449611.tif 000004
【図４】
0006449611.tif 000005
【図５】
0006449611.tif 000006
【図６】
0006449611.tif 000007
【図７】
0006449611.tif 000008
【図８】
0006449611.tif 000009
【図９】
0006449611.tif 000010
【図１０】
0006449611.tif 000011
【図１１】
0006449611.tif 000012
【図１２】
0006449611.tif 000013
【図１３】
0006449611.tif 000014